(57)【要約】【課題】短時間で応答して視認映像ストリームを切り換えることができる表示装置を得る。【解決手段】複数の映像ストリームの各画像を時分割表示する表示部１５と、表示部における複数の映像ストリームの各画像の表示タイミングに同期して、視聴者が用いるシャッタ眼鏡６０のシャッタ（左眼シャッタ６Ｌおよび右眼シャッタ６Ｒ）を開閉制御するシャッタ制御部１７と、視聴者により視認されることとなる視認映像ストリームに切り換えるように、シャッタ制御部に対してシャッタの開閉タイミングの変更を指示する開閉タイミング指示部１６Ａとを備える。【選択図】図１
2012085060.tif 000002
【特許請求の範囲】
【請求項１】
複数の映像ストリームの各画像を時分割表示する表示部と、
前記表示部における前記複数の映像ストリームの各画像の表示タイミングに同期して、視聴者が用いるシャッタ眼鏡のシャッタを開閉制御するシャッタ制御部と、
視聴者により視認されることとなる視認映像ストリームに切り換えるように、前記シャッタ制御部に対して前記シャッタの開閉タイミングの変更を指示する開閉タイミング指示部と
を備えた表示装置。
【請求項２】
複数の入力映像ストリームから、視聴者があらかじめ設定した前記複数の映像ストリームを選択して出力する映像選択部と、
前記複数の映像ストリームの各画像を、前記複数の映像ストリーム間で巡回するように配置して巡回映像を生成する巡回映像生成部と
をさらに備え、
前記表示部は、前記巡回映像に基づいて表示を行う
請求項１に記載の表示装置。
【請求項３】
視聴者からの切り換え指示を受け付ける指示入力部をさらに備え、
前記開閉タイミング指示部は、前記切り換え指示に基づいて前記シャッタの開閉タイミングの変更を指示する
請求項１または請求項２に記載の表示装置。
【請求項４】
前記複数の映像ストリームは、複数のコンテンツを含んで構成された主映像ストリームと、副映像ストリームとを含み、
前記開閉タイミング指示部は、前記主映像ストリームのコンテンツの切り換えに基づいて前記開閉タイミングの変更を指示する
請求項１から請求項３のいずれか一項に記載の表示装置。
【請求項５】
前記主映像ストリームは、前記コンテンツとして番組映像および広告映像を含むテレビ放送映像であり、
前記シャッタ制御部は、
前記テレビ放送映像が前記番組映像である期間においては、視聴者がテレビ放送映像を視認するように前記シャッタを開閉制御し、
前記テレビ放送映像が前記広告映像である期間においては、視聴者が副映像ストリームを視認するように前記シャッタを開閉制御する
請求項４に記載の表示装置。
【請求項６】
前記番組映像は立体視用映像であり、
前記広告映像は２次元映像であり、
前記開閉タイミング指示部は、前記テレビ放送映像が立体視用映像および２次元映像のどちらであるかに基づいて前記開閉タイミングの変更を指示する
請求項５に記載の表示装置。
【請求項７】
前記副映像ストリームはパーソナルコンピュータから供給される映像である
請求項４に記載の表示装置。
【請求項８】
複数の入力映像ストリームから、視聴者があらかじめ設定した、立体視用映像および２次元映像を含む第１の映像ストリームと、２次元映像である第２の映像ストリームとを選択して出力する映像選択部と、
前記第１の映像ストリームおよび前記第２の映像ストリームに基づいて複合映像を生成する複合映像生成部と
をさらに備え、
前記複合映像生成部は、
前記第１の映像ストリームが立体視用映像である期間においては、その立体視用映像の左眼画像および右眼画像を交互に配置して前記複合映像を生成し、
前記第１の映像ストリームが２次元映像である期間においては、その２次元映像と前記第２の映像ストリームの各画像を交互に配置して前記複合映像を生成し、
前記表示部は、前記複合映像に基づいて表示を行う
請求項１に記載の表示装置。
【請求項９】
視聴者からの切り換え指示を受け付ける指示入力部をさらに備え、
前記開閉タイミング指示部は、前記第１の映像ストリームが２次元映像である期間において、前記切り換え指示に基づいて前記シャッタの開閉タイミングの変更を指示する
請求項８に記載の表示装置。
【請求項１０】
複数の映像ストリームの各画像を時分割表示し、
前記複数の映像ストリームの各画像の表示タイミングに同期して、視聴者が用いるシャッタ眼鏡のシャッタの開閉制御を行い、
視聴者により視認されることとなる視認映像ストリームに切り換えるように、前記シャッタの開閉タイミングの変更を指示する
表示方法。
【発明の詳細な説明】
【技術分野】
【０００１】
本発明は、テレビ受像機などの表示装置および表示方法に関する。
【背景技術】
【０００２】
テレビ放送のアナログ放送からデジタル放送への移行に伴い、デジタル放送を受信可能なテレビ受像機が普及してきている。デジタル放送をテレビ受像機に表示する際には、一般にデジタル放送信号に対する情報処理量が多いことから、チャンネルの切り換えにしばしば時間を要する。この時間を短縮する方法について、いくつかの検討がなされている。例えば、特許文献１には、複数のチューナを備え、ユーザがザッピング操作を行う際に次に表示するチャンネルの選局処理を、現在の表示に使用していないチューナを用いてあらかじめ行うことにより、チャンネルの切り換えにかかる時間の短縮を図る放送受信装置が開示されている。
【０００３】
ところで、近年、立体視表示が可能な表示システムが注目を集めている。そのような表示システムの１つにシャッタ眼鏡を用いた表示システムがある（例えば特許文献２）。この表示システムでは、互いに視差がある左眼画像と右眼画像が、表示装置に交互に時分割的に表示されるとともに、これらの画像の切り換えに同期してシャッタ眼鏡の左眼シャッタと右眼シャッタの開閉が切り換え制御される。
【先行技術文献】
【特許文献】
【０００４】
【特許文献１】特開２０１０−１４７９７８号公報
【特許文献２】特開２００７−３３６５１８号公報
【発明の概要】
【発明が解決しようとする課題】
【０００５】
一般に、表示装置では、映像の切り換えの際、短時間で応答しユーザが見る映像（視認映像）が切り換わることが望まれている。すなわち、テレビ放送のチャンネルを切り換えてから、あるいはＢＤ（Blu-ray Disc（登録商標））レコーダなどの録画再生機器をはじめとした外部機器に対する入力選択を切り換えてから、実際にユーザが見る映像が切り換わるまでの時間を短くすることが望まれている。
【０００６】
しかしながら、特許文献１に開示された放送受信装置は、選局処理にかかる時間の見かけ上の短縮を図るものであり、選局後においてその映像に対して映像処理を行い実際に表示を行うまでの時間を短縮するものではないため、視認映像を短時間で切り換えることができないおそれがある。また、特許文献１には、外部機器に対する入力選択を切り替えたときの応答についての記載は一切ない。また、特許文献２には、映像の切り換えに関する記述は一切ない。
【０００７】
本発明はかかる問題点に鑑みてなされたもので、その目的は、短時間で応答して視認映像を切り換えることができる表示装置および表示方法を提供することにある。
【課題を解決するための手段】
【０００８】
本発明の表示装置は、表示部と、シャッタ制御部と、開閉タイミング指示部とを備えている。表示部は、複数の映像ストリームの各画像を時分割表示するものである。シャッタ制御部は、表示部における複数の映像ストリームの各画像の表示タイミングに同期して視聴者が用いるシャッタ眼鏡のシャッタを開閉制御するものである。開閉タイミング指示部は、視聴者により視認されることとなる視認映像ストリームに切り換えるように、シャッタ制御部に対してシャッタの開閉タイミングの変更を指示するものである。
【０００９】
本発明の表示方法は、複数の映像ストリームの各画像を時分割表示し、複数の映像ストリームの各画像の表示タイミングに同期して、視聴者が用いるシャッタ眼鏡のシャッタの開閉制御を行い、視聴者により視認されることとなる視認映像ストリームに切り換えるように、シャッタの開閉タイミングの変更を指示するものである。
【００１０】
本発明の表示装置および表示方法では、複数の映像ストリームの各画像が時分割的に表示部に表示されるとともに、その画像の表示タイミングに同期してシャッタ眼鏡のシャッタの開閉動作が制御されることにより、ユーザはその複数の映像ストリームのうちの１つを見ることができる。そして、シャッタの開閉タイミングを変更することにより、視認映像ストリームが切り換えられる。
【００１１】
本発明の表示装置では、例えば、複数の入力映像ストリームから、視聴者があらかじめ設定した複数の映像ストリームを選択して出力する映像選択部と、複数の映像ストリームの各画像を、複数の映像ストリーム間で巡回するように配置して巡回映像を生成する巡回映像生成部とをさらに備え、表示部は、巡回映像に基づいて表示を行うようにするのが望ましい。
【００１２】
視認映像ストリームの切り換えは、例えば以下の２つの方法により行われることができる。第１の方法は、視聴者からの切り換え指示を受け付ける指示入力部をさらに備え、  開閉タイミング指示部が、切り換え指示に基づいてシャッタの開閉タイミングの変更を指示するものである。第２の方法は、複数の映像ストリームは、複数のコンテンツを含んで構成された主映像ストリームと、副映像ストリームとを含み、開閉タイミング指示部が、前記主映像ストリームのコンテンツの切り換えに基づいて開閉タイミングの変更を指示するものである。この第２の方法では、例えば、主映像ストリームは、コンテンツとして番組映像および広告映像を含むテレビ放送映像であり、シャッタ制御部は、テレビ放送映像が番組映像である期間においては、視聴者がテレビ放送映像を視認するようにシャッタを開閉制御し、テレビ放送映像が広告映像である期間においては、視聴者が副映像ストリームを視認するようにシャッタを開閉制御してもよい。この場合、例えば、番組映像は立体視用映像であり、広告映像は２次元映像であり、開閉タイミング指示部は、テレビ放送映像が立体視用映像および２次元映像のどちらであるかに基づいて開閉タイミングの変更を指示するようにしてもよい。例えば、副映像ストリームは、パーソナルコンピュータから供給される映像にすることができる。
【００１３】
また、例えば、複数の入力映像ストリームから、視聴者があらかじめ設定した、立体視用映像および２次元映像を含む第１の映像ストリームと、２次元映像である第２の映像ストリームとを選択して出力する映像選択部と、第１の映像ストリームおよび第２の映像ストリームに基づいて複合映像を生成する複合映像生成部とをさらに備え、複合映像生成部は、第１の映像ストリームが立体視用映像である期間においては、その立体視用映像の左眼画像および右眼画像を交互に配置して複合映像を生成し、第１の映像ストリームが２次元映像である期間においては、その２次元映像と第２の映像ストリームの各画像を交互に配置して複合映像を生成し、表示部は、複合映像に基づいて表示を行うようにしてもよい。この場合、例えば、視聴者からの切り換え指示を受け付ける指示入力部をさらに備え、開閉タイミング指示部は、第１の映像ストリームが２次元映像である期間において、切り換え指示に基づいてシャッタの開閉タイミングの変更を指示するようにしてもよい。
【発明の効果】
【００１４】
本発明の表示装置および表示方法によれば、複数の映像ストリームを表示部に表示し、シャッタ眼鏡のシャッタの開閉タイミングを変更することにより視認映像ストリームを切り換えるようにしたので、短時間で応答して視認映像ストリームを切り換えることができる。
【図面の簡単な説明】
【００１５】
【図１】本発明の第１の実施の形態に係る表示システムの一構成例を表すブロック図である。
【図２】図１に示した表示システムの一動作例を表す模式図である。
【図３】図１に示した表示システムの他の動作例を表す模式図である。
【図４】図１に示した表示システムの映像切り換え動作を表すタイミング図である。
【図５】図１に示した表示システムの設定画面の一例を表す図である。
【図６】変形例に係る表示システムの一構成例を表すブロック図である。
【図７】変形例に係る表示システムの一動作例を表す模式図である。
【図８】他の変形例に係る表示システムの一構成例を表すブロック図である。
【図９】本発明の第２の実施の形態に係る表示システムの一構成例を表すブロック図である。
【図１０】図９に示した立体映像信号の一構成例を表す模式図である。
【図１１】図９に示した表示システムの一動作例を表す模式図である。
【図１２】図９に示した表示システムの他の動作例を表す模式図である。
【図１３】図９に示した表示システムの他の動作例を表す模式図である。
【図１４】変形例に係る表示システムの一構成例を表すブロック図である。
【図１５】変形例に係る表示システムの一動作例を表す模式図である。
【図１６】本発明の第３の実施の形態に係る表示システムの一構成例を表すブロック図である。
【図１７】図１６に示した立体映像信号の一構成例を表す模式図である。
【図１８】図１６に示した表示システムの一動作例を表す模式図である。
【図１９】図１６に示した表示システムの他の動作例を表す模式図である。
【図２０】図１６に示した表示システムの映像切り換え動作を表すタイミング図である。
【図２１】変形例に係る表示システムの一動作例を表す模式図である。
【発明を実施するための形態】
【００１６】
以下、本発明の実施の形態について、図面を参照して詳細に説明する。なお、説明は以下の順序で行う。
１．第１の実施の形態
２．第２の実施の形態
３．第３の実施の形態
【００１７】
＜１．第１の実施の形態＞
［構成例］
（全体構成例）
図１は、本発明の第１の実施の形態に係る表示システムの一構成例を表すものである。表示システム１は、シャッタ眼鏡を有する表示システムである。なお、本発明の実施の形態に係る表示方法は、本実施の形態により具現化されるので、併せて説明する。
【００１８】
表示システム１は、表示装置１０とシャッタ眼鏡６０とを備えている。表示装置１０は、複数の映像を時分割的に表示するものである。シャッタ眼鏡６０は、観察者が身につける眼鏡型のシャッタ装置であり、表示装置１０から供給されたシャッタ制御信号ＣＴＬ（後述）に基づいて、表示装置１０における画像表示に同期してシャッタが開閉動作するものである。
【００１９】
表示装置１０は、チューナ部１１（１１Ａ，１１Ｂ）と、外部入力部１２と、信号選択部１３と、映像信号処理部１４と、表示部１５と、制御部１６Ａと、シャッタ制御部１７とを有している。
【００２０】
チューナ部１１は、アンテナ８において受信した放送波信号から、所望のチャンネルを選局処理するものである。この例では、表示装置１０は、２つのチューナ部１１Ａ，１１Ｂを有している。外部入力部１２は、ＢＤレコーダなどの録画再生機器をはじめとした外部機器（図示せず）から、映像信号や音声信号などを入力するためのインターフェースである。このインターフェースは、例えばＨＤＭＩ（High-Definition Multimedia Interface）が適用可能である。この例では、放送波および外部機器により供給される映像は全て２次元映像である。信号選択部１３は、チューナ部１１および外部入力部１２から供給された複数（この例では３つ）の映像信号のうち、２つの映像信号Ｍ１，Ｍ２を選択する機能を有している。この２つの映像信号Ｍ１，Ｍ２の映像は、後述するように、表示部１５において時分割的に表示されるものであり、映像信号Ｍ１はユーザが主に見る映像（主映像）に係るものであり、映像信号Ｍ２はあらかじめ設定した副映像に係るものである。映像信号処理部１４は、供給された２つの映像信号Ｍ１，Ｍ２に基づいて映像信号Ｍdispを生成するものである。具体的には、映像信号処理部１４は、映像信号Ｍ１，Ｍ２の各画像を交互に配置することにより、映像信号Ｍdispを生成するようになっている。また、映像信号処理部１４は、映像信号Ｍdispを構成する各画像に同期した同期信号を生成し、シャッタ制御部１７に対して供給する機能も有している。表示部１５は、映像信号Ｍdispに基づいて表示を行うものであり、例えば液晶表示装置などが適用可能である。制御部１６Ａは、例えばリモコン装置１６Ｂからユーザの操作に関する情報を受け取り、表示装置１０を制御するものである。具体的には、後述するように、例えば、ユーザがあらかじめ設定した副映像を見るために映像切り換え操作を行った時には、制御部１６Ａは、シャッタ制御部１７に対して映像切り換え信号Ｓを供給するようになっている。シャッタ制御部１７は、映像信号処理部１４から供給された同期信号、および制御部１６Ａから供給された映像切り換え信号Ｓに基づいて、シャッタ制御信号ＣＴＬを生成し、例えば赤外線や電波などを用いた無線通信によりシャッタ眼鏡６０に供給する機能を有している。
【００２１】
シャッタ眼鏡６０は、左眼シャッタ６Ｌおよび右眼シャッタ６Ｒを有している。これらの左眼シャッタ６Ｌおよび右眼シャッタ６Ｒは、例えば液晶シャッタなどの遮光シャッタにより構成されている。これらの左眼シャッタ６Ｌおよび右眼シャッタ６Ｒにおける遮光状態（開状態および閉状態）は、表示装置１０のシャッタ制御部１７から供給されるシャッタ制御信号ＣＴＬにより制御されるようになっている。
【００２２】
この構成により、表示装置１０では、後述するように、あらかじめ設定された２つの映像信号Ｍ１，Ｍ２の各画像が、表示部１５に交互に時分割的に表示される。そしてシャッタ眼鏡６０は、これらの映像信号Ｍ１，Ｍ２の表示タイミングに合わせて左眼シャッタ６Ｌおよび右眼シャッタ６Ｒを開閉動作することにより、ユーザは、映像信号Ｍ１に係る映像、または映像信号Ｍ２に係る映像を見ることができるようになっている。そして、ユーザが映像切り換え操作を行ったときに、映像切り換え信号Ｓに基づいて、シャッタ制御部１７がシャッタ眼鏡６０の制御を行い、映像信号Ｍ１に係る映像と映像信号Ｍ２に係る映像のうち、ユーザが見る映像（視認映像）を切り換えることができるようになっている。
【００２３】
ここで、左眼シャッタ６Ｌおよび右眼シャッタ６Ｒは、本発明における「シャッタ」の一具体例に対応する。信号選択部１３は、本発明における「映像選択部」の一具体例に対応する。映像信号処理部１４は、本発明における「巡回映像生成部」の一具体例に対応する。リモコン装置１６Ｂは、本発明における「指示入力部」の一具体例に対応する。
【００２４】
［動作および作用］
続いて、本実施の形態の表示動作１の動作および作用について説明する。
【００２５】
（全体動作概要）
まず、図１を参照して、表示装置システム１の全体動作概要を説明する。チューナ１１（１１Ａ，１１Ｂ）は、アンテナ８において受信した放送波信号から、所望のチャンネルを選局処理する。外部入力部１２は、外部機器（図示せず）から、映像信号や音声信号などを入力する。信号選択部１３は、チューナ部１１および外部入力部１２から供給された複数の映像信号のうち２つの映像信号Ｍ１，Ｍ２を選択する。映像信号処理部１４は、映像信号Ｍ１，Ｍ２に基づいて映像信号Ｍdispを生成するとともに、映像信号Ｍdispに同期した同期信号を生成する。表示部１５は、映像信号Ｍdispに基づいて表示映像Ａを表示する。制御部１６Ａは、リモコン装置１６Ｂから供給された、ユーザによる映像切り換え指示に基づいて、映像切り換え信号Ｓをシャッタ制御部１７に送信する。シャッタ制御部１７は、映像信号処理部１４から供給された同期信号および制御部１６Ａから供給された映像切り換え信号Ｓに基づいて、シャッタ制御信号ＣＴＬを生成し、シャッタ眼鏡６０に対して送信する。シャッタ眼鏡６０は、シャッタ制御信号ＣＴＬに基づいて左眼シャッタ６Ｌおよび右眼シャッタ６Ｒの開閉制御を行う。
【００２６】
（詳細動作）
次に、表示システム１の詳細動作を説明する。
【００２７】
図２は、表示システム１の動作例を表すものであり、（Ａ）は表示部１５における表示映像Ａを示し、（Ｂ），（Ｃ）は実際にユーザが見る映像Ａ１，Ａ２を示す。図２において、画像Ｐ１は映像信号Ｍ１の映像を構成する画像を示し、画像Ｐ２は映像信号Ｍ２の映像を構成する画像を示す。
【００２８】
図２（Ａ）に示したように、表示装置１０は、映像信号Ｍ１に係る画像Ｐ１と、映像信号Ｍ２に係る画像Ｐ２とを交互に時分割的に表示する。そして、シャッタ眼鏡６０が、表示装置１０のシャッタ制御部１７から供給されるシャッタ制御信号ＣＴＬに基づいて、左眼シャッタ６Ｌおよび右眼シャッタ６Ｒを開閉制御することにより、ユーザは、画像Ｐ１からなる映像Ａ１（図２（Ｂ））または画像Ｐ２からなる映像Ａ２（図２（Ｃ））を見ることができる。以下に、シャッタ眼鏡６０の開閉動作を説明する。
【００２９】
図３は、ユーザが映像Ａ１を見る場合のシャッタ眼鏡６０の動作を表すものであり、（Ａ）は表示装置１０に画像Ｐ１が表示されている場合を示し、（Ｂ）は画像Ｐ２が表示されている場合を示す。
【００３０】
表示装置１０が画像Ｐ１を表示しているとき、シャッタ眼鏡６０では、図３（Ａ）に示したように、左眼シャッタ６Ｌおよび右眼シャッタ６Ｒがともに開状態となる。このとき、ユーザ９は画像Ｐ１を見ることができる。一方、表示装置１０が画像Ｐ２を表示しているとき、シャッタ眼鏡６０では、図３（Ｂ）に示したように、左眼シャッタ６Ｌおよび右眼シャッタ６Ｒがともに閉状態となる。このとき、ユーザ９は画像Ｐ２を見ることができない。よって、ユーザ９は、図２（Ａ）に示した、画像Ｐ１および画像Ｐ２が交互に時分割的に表示された表示映像Ａにおいて、図２（Ｂ）に示したように、画像Ｐ１からなる映像Ａ１を見ることができる。
【００３１】
この例では、ユーザが映像Ａ１を見る場合のシャッタ眼鏡６０の動作を説明したが、映像Ａ２を見る場合の動作も全く同様である。すなわち、表示装置１０が画像Ｐ１を表示しているとき、左眼シャッタ６Ｌおよび右眼シャッタ６Ｒがともに閉状態となり、表示装置１０が画像Ｐ２を表示しているとき、左眼シャッタ６Ｌおよび右眼シャッタ６Ｒがともに開状態となることにより、ユーザ９は、図２（Ｃ）に示したように、画像Ｐ２からなる映像Ａ２を見ることができる。
【００３２】
次に、映像切り換え動作について説明する。表示システム１では、ユーザの映像切り換え操作に応じて、短時間で、図３に示した映像Ａ１，Ａ２間の映像切り換えを行うことができる。以下では、信号選択部１３が、チューナ部１１Ａ，１１Ｂからの映像信号を映像信号Ｍ１，Ｍ２として選択している場合を例に説明する。
【００３３】
図４は、表示システム１の映像切り換え動作の一例を表すものであり、（Ａ）はチューナ部１１Ａの動作を示し、（Ｂ）はチューナ部１１Ｂの動作を示し、（Ｃ）は表示部１５の動作を示し、（Ｄ）はシャッタ眼鏡６０の動作を示す。
【００３４】
まず、期間Ｔ０において、チューナ部１１ＡはチャンネルＣＨ１を選局し、チューナ部１１ＢはチャンネルＣＨ２を選局する。そして、信号選択部１３は、これらのチューナ部１１Ａ，１１Ｂからの映像信号を選択する。このとき、表示部１５は、チャンネルＣＨ１の映像およびチャンネルＣＨ２の映像を時分割的に表示する。そして、シャッタ眼鏡６０は、チャンネルＣＨ１の映像が表示されているときに左眼シャッタ６Ｌおよび右眼シャッタ６Ｒを開動作し、チャンネルＣＨ２の映像が表示されているときには左眼シャッタ６Ｌおよび右眼シャッタ６Ｒを閉動作する。このとき、ユーザは、チューナ部１１Ａで選局されているチャンネルＣＨ１の映像を見ることとなる。
【００３５】
次に、タイミングｔ１において、ユーザはチューナ部１１Ｂの副映像設定を行う。この例では、チューナ部１１Ｂがユーザの指示に基づいてチャンネルＣＨ２を選局する。なお、上述したように、ユーザは、チューナ部１１Ａで選局されている映像を見ているため、このチューナ部１１Ｂの選局の設定はいわゆる裏番組の設定を意味し、この選局操作によって見ている映像が影響されることはない。
【００３６】
次に、タイミングｔ２において、ユーザが映像切り換え操作を行う。具体的には、ユーザの映像切り換え操作により、シャッタ制御部１７は、図４（Ｄ）に示したように、タイミングｔ１において設定したチューナ部１１Ｂの映像（チャンネルＣＨ３）が表示されているときに左眼シャッタ６Ｌおよび右眼シャッタ６Ｒを開動作し、チューナ部１１Ａの映像（チャンネルＣＨ１）が表示されているときに左眼シャッタ６Ｌおよび右眼シャッタ６Ｒを閉動作するように、シャッタ眼鏡６０を制御する（期間Ｔ２）。これによりユーザは、チューナ部１１Ｂで選局されているチャンネルＣＨ３の映像を見ることとなる。すなわち、この映像切り換え操作により、表示システム１は、ユーザが見る映像を、チャンネルＣＨ１の映像からチャンネルＣＨ３の映像に切り換える。
【００３７】
このタイミングｔ２における映像切り換え動作の際、表示システム１では、図４（Ａ）〜（Ｃ）に示したように、チューナ部１１Ａ，１１Ｂ、および表示部１５が変化しない。すなわち、表示システム１は、シャッタ眼鏡６０の左眼シャッタ６Ｌおよび右眼シャッタ６Ｒの開閉動作のタイミングを変更することにより、映像切り換え動作を行う。つまり、映像切り換えの際、表示部１５に表示される映像を変えることなく、シャッタ眼鏡６０の開閉動作を変更するようにしたので、映像切り換え操作によって表示映像そのものを切り換える場合に比べて、短時間でユーザが見る映像（視認映像）を切り換えることができる。
【００３８】
図４の例では、映像信号Ｍ１，Ｍ２はともにテレビ番組の映像信号としたが、これに限定されるものではなく、これに代えて、例えば、一方をテレビ番組の映像信号とし、他方を外部機器から外部入力部１２を介して供給された映像信号としてもよい。例えば、外部機器としてＰＣ（Personal Computer）を接続しておき、テレビ番組（主映像）を見ていて何か調べたいことがあった場合に、上述した映像切り換え操作によりＰＣの映像（副映像）に切り換えて、インターネットなどでそれを調べるような使い方が可能である。
【００３９】
次に、図４に示した副映像設定について説明する。
【００４０】
図５は、副映像設定の一例を表すものであり、（Ａ）はその表示画面例を示し、（Ｂ）は他の表示画面例を示す。副映像設定の際、まず、表示装置１０は、例えば、図５（Ａ）に示したようなＯＳＤ（On Screen display）画面２１Ａを表示する。ＯＳＤ画面２１Ａには、副映像の選択肢が表示される。この例では、テレビ放送映像を選択するための“ＴＶ”や、外部機器の映像を選択するための“ＨＤＭＩ１”，“ＨＤＭＩ２”、ＰＣの映像を選択するための“ＰＣ”が表示されている。ユーザは、この選択肢から１つを選択する。例えば“ＴＶ”を選択した場合には、表示装置１０は、次に、図５（Ｂ）に示したように、チャンネルを選択するためのＯＳＤ画面２１Ｂを表示する。そして、ユーザがこの選択肢から設定したいチャンネルを選択することにより、副映像が設定される。
【００４１】
これらのＯＳＤ画面２１Ａ，２１Ｂを表示する際は、映像信号Ｍ１に係る画像Ｐ１と、映像信号Ｍ２に係る画像Ｐ２の両方がこれらのＯＳＤ画面２１Ａ，２１Ｂを含むことが望ましい。これにより、ユーザは、図２に示したように、映像Ａ１（図２（Ｂ））を見ている場合でも、映像Ａ２（図２（Ｃ））を見ている場合でも、このＯＳＤ画面２１Ａ，２１Ｂを見ることができる。
【００４２】
なお、上述したような方法で副映像設定が行われていない場合には、例えば、ひとつ前に見ていたチャンネルの放送映像や外部機器の映像を副映像として設定するようにしてもよい。
【００４３】
［効果］
以上のように本実施の形態では、表示部の表示映像を変えずに、シャッタ眼鏡の開閉動作を変更することにより映像切り換えを行うようにしたので、短時間で視認映像を切り換えることができる。
【００４４】
［変形例１−１］
上記実施の形態では、２つの映像を表示部１５に時分割的に表示するようにしたが、これに限定されるものではなく、これに代えて、例えば、３つ以上の映像を表示してもよい。以下に、３つの映像を表示する場合の例を説明する。
【００４５】
図６は、本変形例に係る表示システム１Ｂの一構成例を表すものである。表示システム１Ｂは表示装置１０Ｂを備えている。表示装置１０Ｂは、外部入力部１８と、信号選択部１３Ｂと、映像信号処理部１４Ｂとを有している。外部入力部１８は、外部入力部１２と同様に、外部機器から、映像信号や音声信号などを入力するためのインターフェースである。信号選択部１３Ｂは、チューナ部１１（１１Ａ，１１Ｂ）および外部入力部１２，１８から供給された４つの映像信号のうち、３つの映像信号Ｍ１〜Ｍ３を選択する機能を有している。映像信号処理部１４Ｂは、供給された３つの映像信号Ｍ１〜Ｍ３の各画像を巡回するように配置することにより映像信号Ｍdispを生成するとともに、映像信号Ｍdispを構成する各画像に同期した同期信号を生成し、シャッタ制御部１７に対して供給するものである。
【００４６】
図７は、表示システム１Ｂの動作例を表すものであり、（Ａ）は表示部１５における表示映像Ａを示し、（Ｂ）〜（Ｄ）は実際にユーザが見る映像Ａ１〜Ａ３を示す。図７において、画像Ｐ１は映像信号Ｍ１の映像を構成する画像を示し、画像Ｐ２は映像信号Ｍ２の映像を構成する画像を示し、画像Ｐ３は映像信号Ｍ３の映像を構成する画像を示す。
【００４７】
表示システム１Ｂでは、図７（Ａ）に示したように、表示装置１０は、映像信号Ｍ１に係る画像Ｐ１と、映像信号Ｍ２に係る画像Ｐ２と、映像信号Ｍ３に係る画像Ｐ３とを交互に時分割的に表示する。そして、図３において説明したように、シャッタ眼鏡６０が、シャッタ制御信号ＣＴＬに基づいて、左眼シャッタ６Ｌおよび右眼シャッタ６Ｒを開閉制御することにより、ユーザは、画像Ｐ１からなる映像Ａ１（図７（Ｂ））、画像Ｐ２からなる映像Ａ２（図３（Ｃ））、または画像Ｐ３からなる映像Ａ３（図７（Ｄ））を見ることができる。そして、ユーザが映像切り換え操作を行う際、上記実施の形態と同様にシャッタ眼鏡の開閉動作を変更することにより、短時間で映像Ａ１〜Ａ３間の映像切り換えを行うことができる。
【００４８】
［変形例１−２］
上記実施の形態では、ユーザの映像切り換え操作により映像を切り換えるようにしたが、これに限定されるものではなく、例えば、映像の属性に基づいて映像を切り換えるようにしてもよい。以下に、この場合の例を示す。
【００４９】
図８は、主映像の属性に基づいて映像を切り換えるように構成した表示システム１Ｃの一構成例を表すものである。表示システム１Ｃは表示装置１０Ｃを備えている。表示装置１０Ｃは、属性検出部１９と、シャッタ制御部１７Ｃとを有している。属性検出部１９は、主映像に係る映像信号Ｍ１の映像の属性をモニタする機能を有している。具体的には、属性検出部１９は、例えば、主映像がテレビ放送映像である場合において、この主映像が番組映像であるか広告（コマーシャル）映像であるかを検出する。この検出は、例えば、主映像（テレビ放送映像）やその音声を解析することにより行うことが可能である。シャッタ制御部１７Ｃは、映像信号処理部２４から供給される同期信号、制御部１６Ａから供給される映像切り換え信号Ｓ、および属性検出部１９から供給される主映像の属性検出結果に基づいてシャッタ眼鏡６０を制御するものである。ここで、属性検出部１９は、本発明における「開閉タイミング指示部」の一具体例に対応する。
【００５０】
表示システム１Ｃでは、属性検出部１９は、主映像が番組映像であるときはユーザがこの主映像を見るようにシャッタ制御部１７Ｃを制御するとともに、主映像が広告映像になったときには、例えば外部入力部１２に接続されたＰＣから供給された映像（副映像）をユーザが見るようにシャッタ制御部１７Ｃを制御する。この場合でも、主映像の属性が切り替わったときに、上記実施の形態と同様にシャッタ眼鏡の開閉動作を変更することにより、短時間で映像切り換えを行うことができる。
【００５１】
［その他の変形例］
上記実施の形態では、２つのチューナ部１１（１１Ａ，１１Ｂ）および１つの外部入力部１２を設けたが、これに限定されるものではなく、これに代えて、例えば、１つまたは３つ以上のチューナ部を設けても良いし、２つ以上の外部入力部を設けても良い。
【００５２】
また、上記実施の形態では、信号選択部１３を設けたが、これに限定されるものではなく、例えば、チューナ部および外部入力部の合計数と、映像信号処理部１４に入力される映像信号の数が等しい場合には、信号選択部１３を省いてもよい。具体的には、例えば、１つのチューナ部と１つの外部入力部を備えた表示装置では、そのチューナ部から供給される映像信号を映像信号Ｍ１とするとともに、その外部入力部から供給される映像信号を映像信号Ｍ２とし、これらを映像信号処理部１４に直接入力してもよい。
【００５３】
＜２．第２の実施の形態＞
次に、本発明の第２の実施の形態に係る表示システム２について説明する。本実施の形態は、表示部に表示する映像が立体視用の映像を含む点が、上記第１の実施の形態と異なるものである。なお、上記第１の実施の形態に係る表示システム１と実質的に同一の構成部分には同一の符号を付し、適宜説明を省略する。
【００５４】
図９は、本実施の形態に係る表示システム２の一構成例を表すものである。以下では、チューナ部１１Ａは、立体視用の映像が放送されているチャンネルを選局しその映像信号を出力し、外部入力部１２は、図示しない外部機器から供給された２次元映像の映像信号を出力する場合を例に説明する。
【００５５】
表示システム２は、表示装置２０を備えている。表示装置２０は、信号選択部２２と、画像分離部２３と、映像信号処理部２４とを有している。
【００５６】
信号選択部２２は、この例では、チューナ部１１Ａから供給される立体視用の映像信号と、外部入力部１２から供給される２次元映像の映像信号を選択する。そして、信号選択部２２は、その立体視用の映像信号を立体映像信号Ｍ３Ｄとして出力し、その２次元映像の映像信号を２次元映像信号Ｍ２Ｄとして出力する。信号選択部２２は、例えば、供給された映像信号に、その映像が立体視用の映像であるか２次元映像であるかを示す３Ｄフラグが含まれている場合には、その３Ｄフラグを検出することにより供給された映像を判別することができるようになっている。
【００５７】
図１０は、立体映像信号Ｍ３Ｄの構成を模式的に表すものであり、（Ａ）はその構成の一例を示し、（Ｂ）は他の構成例を示し、（Ｃ）はさらに他の構成例を示す。立体映像信号Ｍ３Ｄは、互いに視差のある左眼画像Ｌおよび右眼画像Ｒを含むものであり、立体画像のフォーマット（３Ｄフォーマット）として提案されている、サイドバイサイド、トップアンドボトム、フレームパッキングなどによりエンコードされたものを用いることができる。ここで、サイドバイサイドは、図１０（Ａ）に示したように、例えば、左眼画像Ｌをフレームの左側に配置するとともに、右眼画像Ｒをフレームの右側に配置することにより、一組の左眼画像Ｌおよび右眼画像Ｒを１枚の画像（フレームＦ）として取り扱うものである。トップアンドボトムは、図１０（Ｂ）に示したように、例えば、左眼画像Ｌをフレームの上側に配置するとともに、右眼画像Ｒをフレームの下側に配置することにより、一組の左眼画像Ｌおよび右眼画像Ｒを１枚の画像（フレームＦ）として取り扱うものである。フレームパッキングは、図１０（Ｃ）に示したように、例えば、左眼画像Ｌを第１フレームＦ１に配置するとともに、右眼画像Ｒを第２フレームＦ２に配置し、第１フレームＦ１と第２フレームＦ２とを一組として取り扱うものである。
【００５８】
画像分離部２３は、立体映像信号Ｍ３Ｄに基づいて、左眼画像Ｌおよび右眼画像Ｒを分離し、それぞれ１枚のフレーム画像として左眼画像ＰＬおよび右眼画像ＰＲを生成するものである。具体的には、画像分離部２３は、例えば、立体映像信号Ｍ３Ｄがサイドバイサイド（図１０（Ａ））によりエンコードされている場合には、その映像の左半分（左眼画像Ｌ）と右半分（右眼画像Ｒ）を取り出し、それぞれに対して左右方向に伸長することにより、１フレームの左眼画像ＰＬと１フレームの右眼画像ＰＲとを生成する。
【００５９】
映像信号処理部２４は、左眼画像ＰＬ、右眼画像ＰＲ、および２次元映像信号Ｍ２Ｄの映像を構成する画像Ｐ２Ｄを巡回するように配置することにより、映像信号Ｍdispを生成するとともに、映像信号Ｍdispを構成する各画像に同期した同期信号を生成するものである。
【００６０】
図１１は、表示システム２の動作例を表すものであり、（Ａ）は表示部１５における表示映像Ｂを示し、（Ｂ），（Ｃ）は実際にユーザが見る映像Ｂ１，Ｂ２を示す。
【００６１】
図１１（Ａ）に示したように、表示装置２０は、映像信号Ｍ３Ｄに係る左眼画像ＰＬおよび右眼画像ＰＲと、映像信号Ｍ２Ｄに係る画像Ｐ２Ｄとを巡回するように時分割的に表示する。そして、シャッタ眼鏡６０が、シャッタ制御信号ＣＴＬに基づいて、左眼シャッタ６Ｌおよび右眼シャッタ６Ｒを開閉制御することにより、ユーザは、左眼画像ＰＬおよび右眼画像ＰＲからなる映像Ｂ１（図１１（Ｂ））または画像Ｐ２Ｄからなる映像Ｂ２（図１１（Ｃ））を見ることができる。以下に、ユーザが映像Ｂ１，Ｂ２を見る場合におけるシャッタ眼鏡６０の動作を説明する。
【００６２】
図１２は、ユーザが映像Ｂ１を見る場合のシャッタ眼鏡６０の動作を模式的に表すものである。図１２において、（Ａ）は左眼画像ＰＬを表示したときの動作を示し、（Ｂ）は右眼画像ＰＲを表示したときの動作を示し、（Ｃ）は画像Ｐ２Ｄを表示したときの動作を示す。表示装置２０が左眼画像ＰＬを表示しているとき、シャッタ眼鏡６０では、図１２（Ａ）に示したように、左眼シャッタ６Ｌが開状態となるとともに、右眼シャッタ６Ｒが閉状態となる。このとき、観察者９は左眼９Ｌで左眼画像ＰＬを見る。次に、表示装置２０が右眼画像ＰＲを表示しているとき、シャッタ眼鏡６０では、図１２（Ｂ）に示したように、左眼シャッタ６Ｌが閉状態となるとともに、右眼シャッタ６Ｒが開状態となる。このとき、観察者９は右眼９Ｒで右眼画像ＰＲを見る。また、表示装置２０が画像Ｐ２Ｄを表示しているとき、シャッタ眼鏡６０では、図１２（Ｃ）に示したように、左眼シャッタ６Ｌおよび右眼シャッタ６Ｒがともに閉状態となる。よって、ユーザ９は、図１１（Ａ）に示した、左眼画像ＰＬ、右眼画像ＰＲ、および画像Ｐ２Ｄが巡回するように時分割的に表示された表示映像Ｂにおいて、図１１（Ｂ）に示したように、左眼画像ＰＬおよび右眼画像ＰＲからなる映像Ｂ１を見ることができる。すなわち、左眼画像ＰＬと右眼画像ＰＲとの間には視差があるため、観察者９は、これらの一連の画像からなる映像Ｂ１を奥行きのある立体的な映像として認識することができる。
【００６３】
図１３は、ユーザが映像Ｂ２を見る場合のシャッタ眼鏡６０の動作を模式的に表すものである。図１３において、（Ａ）は左眼画像ＰＬを表示したときの動作を示し、（Ｂ）は右眼画像ＰＲを表示したときの動作を示し、（Ｃ）は画像Ｐ２Ｄを表示したときの動作を示す。表示装置２０が左眼画像ＰＬおよび右眼画像ＰＲを表示しているとき、シャッタ眼鏡６０では、図１３（Ａ），（Ｂ）に示したように、左眼シャッタ６Ｌおよび右眼シャッタ６Ｒがともに閉状態となる。このとき、ユーザ９は左眼画像ＰＬおよび右眼画像ＰＲを見ることができない。一方、表示装置２０が画像Ｐ２Ｄを表示しているとき、シャッタ眼鏡６０では、図１３（Ｃ）に示したように、左眼シャッタ６Ｌおよび右眼シャッタ６Ｒがともに開状態となる。このとき、ユーザ９は画像Ｐ２Ｄを見ることができる。よって、ユーザ９は、図１１（Ａ）に示した、左眼画像ＰＬ、右眼画像ＰＲ、および画像Ｐ２Ｄが巡回するように時分割的に表示された表示映像Ｂにおいて、図１１（Ｃ）に示したように、映像Ｂ２を見ることができる。
【００６４】
このように、表示システム２では、ユーザは、左眼画像ＰＬおよび右眼画像ＰＲからなる映像Ｂ１（図１１（Ｂ））または画像Ｐ２Ｄからなる映像Ｂ２（図１１（Ｃ））を見ることができる。そして、ユーザが映像切り換え操作を行う際、上記第１の実施の形態と同様にシャッタ眼鏡の開閉動作を変更することにより、短時間で映像Ｂ１，Ｂ２間の映像切り換えを行うことができる。
【００６５】
以上のように本実施の形態では、左眼シャッタおよび右眼シャッタを独立して制御するようにしたので、立体視表示を行うことができる。その他の効果は、上記第１の実施の形態の場合と同様である。
【００６６】
［変形例２−１］
上記実施の形態では、表示部に立体視用の映像と２次元映像とを表示し、ユーザの映像切り換え操作によりこれらの２つの映像を切り換えるようにしたが、これに限定されるものではなく、例えば、２つの立体視用の映像を表示してもよい。以下に、この場合の例を示す。
【００６７】
図１４は、本比較例に係る表示システム２Ｂの一構成例を表すものである。表示システム２Ｂは表示装置２０Ｂを備えている。以下では、チューナ部１１Ａは、立体視用映像が放送されているチャンネルを選局しその映像信号を出力し、外部入力部１２は、図示しない外部機器から供給された立体視用の映像信号を出力する場合を例に説明する。
【００６８】
表示装置２０Ｂは、信号選択部２２Ｂと、画像分離部２３Ｂと、映像信号処理部２４Ｂとを有している。信号選択部２２Ｂは、この例では、チューナ部１１Ａから供給される立体視用の映像信号と、外部入力部１２から供給される立体視用の映像信号を選択し、それらを立体映像信号Ｍ３Ｄ，Ｍ３Ｄ２として出力する。画像分離部２３Ｂは、画像分離部２３と同様に、供給された立体映像信号Ｍ３Ｄ２に基づいて、左眼画像Ｌおよび右眼画像Ｒを、それぞれ１枚のフレーム画像として分離し、左眼画像ＰＬ２および右眼画像ＰＲ２を生成するものである。なお、以下の説明では、説明の便宜上、上記第２の実施の形態において説明した画像分離部２３が生成する左眼画像ＰＬを左眼画像ＰＬ１とし、右眼画像ＰＲを右眼画像ＰＲ１とする。映像信号処理部２４Ｂは、画像分離部２３から供給された左眼画像ＰＬ１および右眼画像ＰＲ１と、画像分離部２３Ｂから供給された左眼画像ＰＬ２および右眼画像ＰＲ２を巡回するように配置することにより、映像信号Ｍdispを生成するとともに、映像信号Ｍdispを構成する各画像に同期した同期信号を生成するものである。
【００６９】
図１５は、表示システム２Ｂの動作例を表すものであり、（Ａ）は表示部１５における表示映像Ｃを示し、（Ｂ），（Ｃ）は実際にユーザが見る映像Ｃ１，Ｃ２を示す。
【００７０】
図１５（Ａ）に示したように、表示装置２０Ｂは、左眼画像ＰＬ１，右眼画像ＰＲ１，左眼画像ＰＬ２，および右眼画像ＰＲ２を巡回するように時分割的に表示する。そして、シャッタ眼鏡６０が、シャッタ制御信号ＣＴＬに基づいて、左眼シャッタ６Ｌおよび右眼シャッタ６Ｒを開閉制御することにより、ユーザは、左眼画像ＰＬ１および右眼画像ＰＲ１からなる映像Ｃ１（図１５（Ｂ））または左眼画像ＰＬ２および右眼画像ＰＲ２からなる映像Ｃ２（図１５（Ｃ））を見ることができる。そして、ユーザが映像切り換え操作を行う際、上記実施の形態と同様にシャッタ眼鏡の開閉動作を変更することにより、短時間で映像Ｃ１，Ｃ２間の映像切り換えを行うことができる。
【００７１】
［変形例２−２］
上記実施の形態では、ユーザの映像切り換え操作により映像を切り換えるようにしたが、これに限定されるものではなく、例えば、上記第１の実施の形態の変形例（図８）の場合と同様に、映像の属性に基づいて映像を切り換えるようにしてもよい。この場合、本実施の形態に係る表示システム２（図９）において、立体映像信号Ｍ３Ｄの映像の属性をモニタする属性検出部を設け、この検出結果に基づいて映像を切り換えるようにすることができる。具体的には、この属性検出部は、例えば、主映像（立体映像信号Ｍ３Ｄの映像）がテレビ放送映像である場合において、この主映像が番組映像であるか広告映像であるかを検出する。この検出は、例えば、主映像（テレビ放送映像）やその音声を解析することにより行うことが可能である。また、この検出は、立体映像信号Ｍ３Ｄに、その映像が立体視用の映像であるか２次元映像であるかを示す３Ｄフラグが含まれている場合には、その３Ｄフラグに基づいて行うことが可能である。
【００７２】
＜３．第３の実施の形態＞
次に、本発明の第３の実施の形態に係る表示システム３について説明する。本実施の形態は、テレビ放送映像を主映像として表示している場合において、その映像が番組映像から広告映像に切り換わった時などに、ユーザによる映像切り換え操作のための準備をしておくものである。なお、上記実施の形態に係る表示システム１，２等と実質的に同一の構成部分には同一の符号を付し、適宜説明を省略する。
【００７３】
図１６は、本実施の形態に係る表示システム３の一構成例を表すものである。以下では、立体映像信号Ｍ３Ｄは、チューナ部１１Ａから供給された立体視用の映像信号および２次元映像信号を含む映像信号であり、２次元映像信号Ｍ２Ｄは、図示しない外部機器（この例ではＰＣ）から外部入力部１２を介して供給された２次元映像信号である場合を例に説明する。この例では、チューナ部１１Ａで選局したテレビ放送映像は、番組放送時は立体視用の映像であり、広告放送時は２次元映像であるものとする。
【００７４】
表示システム３は、表示装置３０を備えている。表示装置３０は、属性検出部３３と、映像信号処理部３４とを有している。
【００７５】
属性検出部３３は、主映像に係る立体映像信号Ｍ３Ｄの属性をモニタする機能を有している。具体的には、属性検出部３３は、例えば、立体映像信号Ｍ３Ｄ（この例ではチューナ部１１Ａからの映像信号）の映像が番組映像であるか広告映像であるかを検出する。
【００７６】
図１７は、立体映像信号Ｍ３Ｄを模式的に表すものであり、（Ａ）は番組放送時における一例を示し、（Ｂ）は広告放送時における一例を示す。この例では、立体映像信号Ｍ３Ｄは、図１０（Ａ）に示したサイドバイサイドによりエンコードされている。番組放送時には、図１７（Ａ）に示したように、立体映像信号Ｍ３Ｄの各フレームＦは、互いに視差のある左眼画像Ｌおよび右眼画像Ｒにより構成される。一方、広告放送時には、この例では、図１７（Ｂ）に示したように、立体映像信号Ｍ３Ｄの各フレームＦは、左眼画像Ｌと、左眼画像Ｌと同じ画像の右眼画像Ｒにより構成される。
【００７７】
属性検出部３３は、この立体映像信号Ｍ３Ｄ等に基づいて、例えば、その映像や音声を解析することにより、テレビ番組放送であるか広告放送であるかを検出する。また、属性検出部３３は、立体映像信号Ｍ３Ｄに、その映像が立体視用の映像であるか２次元映像であるかを示す３Ｄフラグが含まれている場合には、その３Ｄフラグによりこの検出を行う。
【００７８】
映像信号処理部３４は、画像分離部２３から供給された左眼画像ＰＬおよび右眼画像ＰＲを含む映像信号と、信号選択部２２から供給された２次元映像信号Ｍ２Ｄと、属性検出部１９から供給された検出結果に基づいて、映像信号Ｍdispを生成するものである。
【００７９】
ここで、立体映像信号Ｍ３Ｄは、本発明における「第１の映像ストリーム」の一具体例に対応し、２次元映像信号Ｍ２Ｄは、本発明における「第２の映像ストリーム」の一具体例に対応する。また、映像信号処理部３４は、本発明における「複合映像生成部」の位置具体例に対応する。
【００８０】
図１８は、映像信号処理部３４の動作を表すものであり、（Ａ）は番組放送時における表示映像Ｄを示し、（Ｂ）は広告放送時における表示映像Ｅを示す。
【００８１】
番組放送時には、属性検出部３３の検出結果に基づき、映像信号処理部３４は、画像分離部２３から供給された左眼画像ＰＬおよび右眼画像ＰＲを交互に配置して映像信号Ｍdispを生成し、表示部１５がそれを表示する（図１８（Ａ））。つまり、番組放送時では、その番組映像の立体視用の映像がそのまま表示される。
【００８２】
一方、広告放送時には、属性検出３３の検出結果に基づき、映像信号処理部３４は、画像分離部２３から供給された左眼画像ＰＬと、信号選択部２２から供給された２次元映像Ｍ２Ｄの画像Ｐ２Ｄを交互に配置して映像信号Ｍdispを生成し、表示部１５がそれを表示する（図１８（Ｂ））。すなわち、広告放送時には、図１７（Ｂ）に示したように、左眼画像Ｌと右眼画像Ｒが同じであるため、映像信号処理部３４は、右眼画像ＰＲの代わりに２次元画像Ｐ２Ｄを用いて映像信号Ｍdispを生成する。このように、広告放送時では、広告映像に係る左眼画像ＰＬと、ＰＣ映像に係る画像Ｐ２Ｄの両方が表示部１５に表示される。これにより、広告放送時には、後述するように、ユーザの映像切り換え操作に応じて、短時間で、主映像（広告映像）と副映像（ＰＣ映像）の間の映像切り換えを行うことができる。
【００８３】
図１９は、広告放送時における表示システム３の動作例を表すものであり、（Ａ）は表示部１５における表示映像Ｅを示し、（Ｂ），（Ｃ）は実際にユーザが見る映像Ｅ１，Ｅ２を示す。図１９（Ａ）に示したように、表示装置３０は、広告映像に係る左眼画像ＰＬと、ＰＣ映像に係る画像Ｐ２Ｄとを交互に時分割的に表示する。そして、シャッタ眼鏡６０が、表示装置１０のシャッタ制御部１７から供給されるシャッタ制御信号ＣＴＬに基づいて、左眼シャッタ６Ｌおよび右眼シャッタ６Ｒを開閉制御することにより、ユーザは、左眼画像ＰＬからなる映像Ｅ１（図１９（Ｂ））または画像Ｐ２Ｄからなる映像Ｅ２（図１９（Ｃ））を見ることができる。すなわち、ユーザは広告映像（映像Ｅ１）またはＰＣ映像（映像Ｅ２）を見ることができる。
【００８４】
本実施の形態に係る表示システム３では、第２の実施の形態に係る表示システム２に比べて、ユーザが見たときに感じる映像の品質を高めることができる。すなわち、例えば、立体視用の映像を表示する場合において、表示システム３では、図１８（Ａ）に示したように、表示システム２の場合（図１１（Ｂ））と異なり、左眼画像ＰＬと右眼画像ＰＲが交互に絶え間なく配列され、左眼シャッタ６Ｌおよび右眼シャッタ６Ｒが開く頻度が高い。また、例えば、２次元映像を表示する場合においても、表示システム３では、図１９（Ｃ）に示したように、表示システム２の場合（図１１（Ｃ））に比べて、左眼シャッタ６Ｌおよび右眼シャッタ６Ｒが開く頻度が高い。これにより、表示システム３では、表示システム２に比べて、ユーザが感じる輝度の低下を抑えることができるとともに、スムースな動画表示を行うことができ、高い映像の品質を実現することができる。
【００８５】
次に、映像切り換え動作について説明する。表示システム３では、その放送映像（主映像）が番組映像から広告映像に変化したときに、副映像としてＰＣ映像を準備しておき、ユーザの映像切り換え操作に応じて、短時間で、主映像（広告映像）と副映像（ＰＣ映像）の間の映像切り換えを行うことができる。
【００８６】
図２０は、表示システム３の映像切り換え動作の一例を表すものであり、（Ａ）はチューナ部１１Ａの出力映像を示し、（Ｂ）は外部入力部１２の出力映像を示し、（Ｃ）は表示部１５の表示映像を示し、（Ｄ）はシャッタ眼鏡６０の動作を示す。
【００８７】
まず、期間Ｔ１０において、チューナ部１１Ａはテレビ番組映像（立体視用の映像）を出力し、外部入力部１２はＰＣからの映像（２次元映像）を出力する。そして、信号選択部２２は、これらのチューナ部１１Ａおよび外部入力部１２の映像を選択する。この時、表示部１５は、図１８（Ａ）に示した表示映像Ｄ（番組映像）を表示する。シャッタ眼鏡６０は、左眼画像ＰＬが表示されているときに左眼シャッタ６Ｌを開動作し、右眼画像ＰＲが表示されているときに右眼シャッタ６Ｒを開動作するように動作する。すなわち、ユーザは、番組映像（立体視用の映像）を見ることとなる。
【００８８】
次に、タイミングｔ１１において、放送映像が番組映像から広告映像へ変化する。これにより、属性検出部３３がこの変化を検出し、その検出結果に基づいて、表示部１５は、図１８（Ｂ）に示した表示映像Ｅ（広告映像およびＰＣ映像）を表示する（期間Ｔ１１）。この時、シャッタ眼鏡６０は、左眼画像ＰＬが表示されているときに左眼シャッタ６Ｌおよび右眼シャッタ６Ｒを開放動作し、２次元画像Ｐ２Ｄが表示されているときに左眼シャッタ６Ｌおよび右眼シャッタ６Ｒを閉動作する。すなわち、ユーザは、主映像である広告映像（２次元映像）を見ることとなり、ＰＣ映像（２次元映像）が副映像として準備される。
【００８９】
次に、タイミングｔ１２において、ユーザが映像切り換え操作を行う。具体的には、ユーザの映像切り換え操作により、シャッタ制御部１７は、図２０（Ｄ）に示したように、２次元画像Ｐ２Ｄが表示されているときに左眼シャッタ６Ｌおよび右眼シャッタ６Ｒを開放動作し、左眼画像ＰＬが表示されているときに左眼シャッタ６Ｌおよび右眼シャッタ６Ｒを閉動作するように、シャッタ眼鏡６０を制御する（期間Ｔ１２）。これにより、ユーザは、ＰＣ映像（２次元映像）を見ることとなる。
【００９０】
このタイミングｔ１２における映像切り換え動作の際、表示システム３では、上記第１および第２の実施の形態と同様に、表示部の表示映像を変えずに、シャッタ眼鏡の開閉動作を変更することにより映像切り換えを行うようにしたので、短時間で視認映像を切り換えることができる。
【００９１】
以上のように本実施の形態では、放送映像（主映像）が番組映像（立体視用の映像）から広告映像（２次元映像）に変化したときに、広告映像の右眼画像ＰＲを副映像に置き換えるようにしたので、ユーザが感じる輝度の低下を抑えることができるとともに、スムースな動画表示を行うことができ、高い映像の品質を実現することができる。
【００９２】
その他の効果は、上記第１および第２の実施の形態の場合と同様である。
【００９３】
上記実施の形態では、２次元映像である広告放送時における立体映像信号Ｍ３Ｄの各フレームＦは、図１７（Ｂ）に示したように、左眼画像Ｌと、左眼画像Ｌと同じ画像の右眼画像Ｒにより構成したが、これに限定されるものではなく、これに代えて、例えば、左眼画像Ｌと、空白画像である右眼画像Ｒにより構成しても良いし、右眼画像Ｒと、空白画像である左眼画像Ｌにより構成してもよい。また、広告放送時には、サイドバイサイドなどのエンコードをしないように構成してもよい。これらの場合でも、画像分離部２３が、その広告映像（２次元映像）の画像を適切に生成することにより、上述した動作を実現することができる。
【００９４】
以上、いくつかの実施の形態および変形例を挙げて本発明を説明したが、本発明はこれらの実施の形態等には限定されず、種々の変形が可能である。
【００９５】
例えば、上記の各実施の形態では、信号選択部が選択した２つ以上の映像を時分割的に表示したが、ユーザ操作に応じて、この映像のうちの１つを常に表示する機能を有していてもよい。例えば、図２に示したように、表示部１５が画像Ｐ１，Ｐ２を時分割的に表示し（図２（Ａ））、画像Ｐ１が表示されているときに左眼シャッタ６Ｌおよび右眼シャッタ６Ｒを開くように動作している場合において（図２（Ｂ））、このユーザ操作により、図２１に示したように、表示部１５が画像Ｐ１を常に表示し（図２１（Ａ））、左眼シャッタ６Ｌおよび右眼シャッタ６Ｒは常に開くようにしてもよい（図２１（Ｂ））。
【符号の説明】
【００９６】
１，１Ｂ，１Ｃ，２，２Ｂ，３…表示システム、６Ｌ…左眼シャッタ、６Ｒ…右眼シャッタ、８…アンテナ、１０，１０Ｂ，１０Ｃ，２０，２０Ｂ，３０…表示装置、１１Ａ，１１Ｂ…チューナ部、１２，１８…外部入力部、１３，１３Ｂ，２２，２２Ｂ…信号選択部、１４，１４Ｂ，２４Ｂ，３４…映像信号処理部、１５…表示部、１６Ａ…リモコン受信部、１６Ｂ…リモコン装置、１７，１７Ｃ…シャッタ制御部、１９，３３…属性検出部、２１Ａ，２１Ｂ…ＯＳＤ画面，２３，２３Ｂ…画像分離部，６０…シャッタ眼鏡，Ａ，Ｂ，Ｃ，Ｄ，Ｅ…表示映像、Ａ１〜Ａ３，Ｂ１，Ｂ２，Ｃ１，Ｃ２，Ｅ１，Ｅ２…映像、ＣＴＬ…シャッタ制御信号、Ｆ…フレーム、Ｌ，ＰＬ，ＰＬ１，ＰＬ２…左眼画像、Ｍ１，Ｍ２，Ｍdisp…映像信号、Ｍ２Ｄ…２次元映像、Ｍ３Ｄ，Ｍ３Ｄ２…立体映像、Ｐ１，Ｐ２，Ｐ３…画像、Ｐ２Ｄ…２次元画像、Ｒ，ＰＲ，ＰＲ１，ＰＲ２…右眼画像、Ｓ…映像切り換え信号。
【図１】
2012085060.tif 000003
【図２】
2012085060.tif 000004
【図３】
2012085060.tif 000005
【図４】
2012085060.tif 000006
【図５】
2012085060.tif 000007
【図６】
2012085060.tif 000008
【図７】
2012085060.tif 000009
【図８】
2012085060.tif 000010
【図９】
2012085060.tif 000011
【図１０】
2012085060.tif 000012
【図１１】
2012085060.tif 000013
【図１２】
2012085060.tif 000014
【図１３】
2012085060.tif 000015
【図１４】
2012085060.tif 000016
【図１５】
2012085060.tif 000017
【図１６】
2012085060.tif 000018
【図１７】
2012085060.tif 000019
【図１８】
2012085060.tif 000020
【図１９】
2012085060.tif 000021
【図２０】
2012085060.tif 000022
【図２１】
2012085060.tif 000023